(57)【要約】      （修正有）【課題】従来の技術は、額の展示部の奥行き方向を段階的に延長することがないことが前提であるため、展示品の大きさや展示場所など合わせた奥行きの長さに変更することがなかった。【解決手段】貫通した額の背面に形成する接合部３は、貫通した枠体のスペーサー部材７端部で形成するスペーサーフランジ部８の一方と接合し、もう一方のスペーサーフランジ部８は同様のフランジ部を形成する他のスペーサー部材７と接合することができ、フランジ部は前記と同条件の接合を繰り返すことで連続的にスペーサー部材７を連結することで、額１の展示部の奥行きの長さを調整し変更することができる。また、奥行きを延長するスペーサー部材７の内側面に貫通した開口穴を設けることで収まりきれない長尺品や大型品の展示品を開口穴から貫通させ額１外へ突出させ、額１外も使用する展示を行うことができる。【選択図】図９
2019093102.tif 000002
【特許請求の範囲】
【請求項１】
貫通した枠状の額の背面に設けられる奥行方向延長装置であって、該奥行方向延長装置は、両端部が開口した環状の枠体で、一開口端にツバ状のフランジ部を有し、該フランジ部が額の背面部と接合することを特徴とする額展示部の奥行方向延長装置。
【請求項２】
前記環状の枠体の他開口端にツバ状のフランジ部を有することを特徴とする請求項１に記載の額展示部の奥行方向延長装置。
【請求項３】
前記額展示部の奥行方向延長装置は、２つ以上のスペーサー部材で構成され、前記各スペーサー部材は開口した環状の枠体の両開口端に同一のツバ状のフランジ部を有し、隣接するスペーサー部材同士がツバ状のフランジ部で連結接合されることを特徴とする請求項２に記載の額展示部の奥行方向延長装置。
【請求項４】
前記奥行き方向延長装置の前記環状の枠体の内側面に、凹凸を設けたことを特徴とする請求項１から請求項３のいずれか１つに記載の額展示部の奥行方向延長装置。
【請求項５】
前記奥行き方向延長装置の前記環状の枠体の内側面に開口を設けたことを特徴とする請求項１から請求項３のいずれか１つに記載の額展示部の奥行方向延長装置。
【発明の詳細な説明】
【技術分野】
【０００１】
本発明は額展示部の奥行方向延長装置に関する。
【背景技術】
【０００２】
従来の技術は、額の展示部を奥行き方向に段階的に延長することがないことが前提であるため、展示品の大きさや展示場所など合わせた奥行きの長さに変更することがなかった。額の展示部奥行き方向の長さを延長しないため、長さを延長した展示部内側面の裏である外側面を覆い保護カバーしないことを前提としている。
【先行技術文献】
【特許文献】
【０００３】
【特許文献１】特許第５３３１０８６号
【特許文献２】特開平１０−３３８０００
【発明の概要】
【発明が解決しようとする課題】
【０００４】
従来の技術は、額の展示部を奥行き方向に段階的に延長することがないことが前提であるため、展示品の大きさや展示場所などに合わせた奥行きの長さに変更することがなかった。額の展示部奥行き方向の長さを延長しないため、長さを延長した展示部内側面の裏である外側面を覆い保護カバーしない。
【課題を解決するための手段】
【０００５】
前記課題を解決するために、本発明は以下の構造を有する。貫通した枠状の額の背面に設けられる奥行方向延長装置は、開口部を有した最深部に面のある箱状で、その開口部が外側に屈曲して額の背面部と接合するツバ状のフランジ部を形成したエンド部材を備えることで、額展示部の奥行きを延長することができる。
【０００６】
貫通した枠状の額の背面に設けられる奥行方向延長装置は、両端部が開口した環状で、その両端部にツバ状のフランジ部を有するスペーサー部材を備え、前記スペーサー部材の一方のフランジ部が額の背面部と接合することで、額展示部の奥行きを延長することができる。
【０００７】
前述、段落番号０００６の記述において、前記スペーサー部材の他方のフランジ部に、他のスペーサー部材の一方のフランジ部が接合することで、額展示部の奥行きを延長することができる。
【０００８】
前述、段落番号０００６の記述において、前記スペーサー部材の他方のフランジ部に、前記エンド部材のツバ状のフランジ部が接合することで、額展示部の奥行きを延長することができる。
【０００９】
前述、段落番号０００６の記述において、前記スペーサー部材の他方のフランジ部に、平面状の板材が接合することで、額展示部の奥行きの延長した最深部を閉鎖することができる。
【００１０】
前述、段落番号０００５、段落番号０００８に記述において、前記エンド部材の背面接合部と嵌合し、内側に屈曲したカバー内曲接合部が形成されたカバー接合部を有するカバーを備えることで、額展示部の奥行きを延長した外枠体である外側面を覆い保護することができる。
【００１１】
貫通した枠状の２つの額の一方の額の背面は、貫通した枠状のスペーサー部材の前面で外側に屈曲したツバ状のスペーサーフランジ部と接合し、前記枠状のスペーサー部材の後面で外側に屈曲したツバ状のスペーサーフランジ部は他方の額の背面と接合することで、額展示部の奥行きを延長することができる。
【発明の効果】
【００１２】
本発明は、次のような効果があげられる。貫通した枠状の額の背面に接合する延長部材は、枠状の内側面を形成するエンド部材とスペーサー部材であり、額展示部の内側面と同一の内枠体を形成することで、スペーサーフランジ部とエンド部材フランジ部と額の背面接合部が接合し一体化することで、額展示部の奥行を延長することができ、額本体を交換することなく額の展示空間の奥行を広げることができる。貫通した額の背面に形成する接合部は、貫通した枠体のスペーサー部材端部で形成するスペーサーフランジ部の一方と接合し、もう一方のスペーサーフランジ部は同様のフランジ部を形成する他のスペーサー部材と接合することができ、フランジ部は前記と同条件の接合を繰り返すことで連続的にスペーサー部材を連結することで、額の展示部の奥行きの長さを調整し変更することができる。また、奥行きを延長するスペーサー部材の内側面に貫通した開口穴を設けるこ
とで収まりきれない長尺品や大型品の展示品を開口穴から貫通させ額外へ突出させ、額外も使用する展示を行うことができる。
【図面の簡単な説明】
【００１３】
【図１】本発明の奥行方向延長装置を使用した状態を示す額の背面図である。
【図２】図１の斜視図である。
【図３】図１の分解斜視図である。
【図４】図１のWーX線に沿う断面図である。
【図５】図１のWーX線に沿う断面の斜視図である。
【図６】図１のWーX線に沿う断面の分解斜視図である。
【図７】本発明の奥行方向延長装置を使用した他の状態を示す額の背面図である。
【図８】図７の斜視図である。
【図９】図７の分解斜視図である。
【図１０】図７のYーZ線に沿う断面図である。
【図１１】図７のYーZ線に沿う断面の斜視図である。
【図１２】図７のYーZ線に沿う断面の分解斜視図である。
【図１３】本発明の奥行方向延長装置を使用した壁面埋込状態を示す額の斜視図である。
【図１４】図１３の側面図である。
【図１５】本発明の奥行方向延長装置を使用した更に他の状態を示す額の背面図である。
【図１６】図１５の斜視図である。
【図１７】図１５の分解斜視図である。
【図１８】図１５のSーT線に沿う断面図である。
【図１９】図１５のSーT線に沿う断面の斜視図である。
【図２０】円形額の奥行き方向延長装置を使用した状態を示す額の斜視図である。
【図２１】図２０の分解斜視図である。
【図２２】壁面貫通埋め込み型の両側前面の額の状態を示す分解斜視図である。
【図２３】スペーサー部材の一端部にフランジ部を形成した斜視図である。
【図２４】スペーサー部材の両端部にフランジ部を形成し、枠体の内側面に凹凸や段差を有し、開口穴を備えたスペーサー部材の斜視図である。
【図２５】図２４のスペーサー部材を使用した額の奥行き延長の斜視図である。
【図２６】図２５の分解斜視図である。
【図２７】内側面に開口穴を有する、貫通した額の分解斜視図
【図２８】内側面に凹凸を有する、貫通した額の分解斜視図
【発明を実施するための形態】
【００１４】
図面に示す実施の形態により、本発明を詳細に説明する。図１（額、エンド部材、カバー：背面図）、図７（額、エンド部材、スペーサー部材、カバー：背面図）に示す、エンド部材背面接合部（１１）を干渉しないドーナッツ状に穴の空いた周縁が接合部であるカバー接合部（６）はエンド部材背面接合部（１１）に嵌まる構造により嵌合接合する。
【００１５】
図２（図１の斜視図）、図８（図７の斜視図）、に示す、斜視図は額の展示部を背面方向に延長し、展示部内側面の裏の外枠体である外側面を覆うカバー（４）を接合した斜視図であり、展示部の内側面である内枠体の裏になる外枠体は各延長材の接合部が露出する不可状態であるため、カバー（４）で外周を覆い接合することで、奥行きを延長した額（１）の外観を損なわずに展示することができる。
【００１６】
図３（図１の分解斜視図）、図４（図１のWーX線に沿う断面図）、図５（図１のWーX線に沿う断面の斜視図）、図６（図１のWーX線に沿う断面の分解斜視図）、図９（図７の分解斜視図）、図１０（図７のYーZ線に沿う断面図）、図１１（図７のYーZ線に沿う断面の斜視図）、図１２（図７のYーZ線に沿う断面の分解斜視図）、図１３（エンド部材、スペーサー部材：壁面埋込の斜視図）、図１４（図１３の側面図）、に示す、額（１）の額展示部の展示部背面方向の最深部に面のない貫通（１４）した形状により、額の背面接合部（３）はスペーサー部材（７）、エンド部材（９）と接合することにより、額（１）の展示部の最深部よりも展示部を奥行き方向に対して延長することができる。
【００１７】
図３、図４、図５、図６、図９、図１０、図１１、図１２、図１３、図１４、に示す、額（１）の額展示部の奥行方向の最深部に面のない貫通（１４）した額の背面部の周縁に背面接合部（３）を形成することで、カバー内曲部（５）、スペーサーフランジ部、（８）エンド部材フランジ部（１０）と額の背面接合部（３）は合致接合し一体化することで額展示部の奥行き方向を延長することができる。
【００１８】
図９、図１０、図１１、図１２、図１３、図１４、図１５（額、スペーサー部材、板材：背面図）、図１６（図１５の：斜視図）、図１７（図１５の：分解斜視図）、図１８（図１５のSーT線に沿う：断面図）、図１９（図１５のSーT線に沿う：断面の斜視図）に示す、スペーサー部材（７）は額展示部の奥行方向を延長する部材ではあるが、展示部の前面及び後面に面のない貫通した枠形状であるため、貫通（１４）した額（１）の背面との接合だけでは額展示部の最深部に面（１３）が形成されないため、額展示部の奥行き方向の延長の最後の部材としてエンド部材（９）や板材（１８）をスペーサー部材（７）と接合することで、額展示部の奥行方向に最深部の面（１３）を形成し、展示部の奥行き方向の延長ができる。また、額の展示部に最深部の面（１３）が不要の場合はスペーサー（７）が最後尾の延長材とすることで、既存の壁面などを最深部の面（１３）として使用することができる。
【００１９】
図９，図１０、図１１、図１２、図１３、図１４、に示す、額展示部の奥行方向の最深部に面のない貫通した額の内側面（１２）と同一の内枠体で形成されるスペーサー部材（７）であり、展示部の奥行方向の後面部と反対方向の前面部で外側に屈曲するツバ状のスペーサーフランジ部（８）を形成し、スペーサーフランジ部（８）の接合部はエンド部材フランジ部（１０）や額（１）の背面接合部（３）や板材（１８）の接合部により合致接合し一体化する。また、スペーサー部材（７）は前面と後面のスペーサーフランジ部（８）が同一のフランジ接合部を形成することで複数個のスペーサー部材（７）を連結することで、さらに額展示部の奥行方向に延長することができる。
【００２０】
図３、図４、図５、図６、図９、図１０、図１１、図１２、図１３、図１４、に示す、額展示部の奥行方向の最深部に面のない貫通した額の展示部内側面と同一の内枠体である枠状で底面を有するエンド部材（９）は、延長部材であり、また、展示部の奥行方向の延長に対して最後尾に接合することで展示部の最深部に面（１３）を形成する延長部材である。前記エンド部材（９）は奥行方向とは反対方向の前面で外側に屈曲したツバ状のエンド部材フランジ部（１０）を形成し、エンド部材フランジ部（１０）は額（１）の背面接合部（３）やスペーサーフランジ部（８）と合致接合し一体化する。
【００２１】
図３、図４、図５、図６、図９、図１０、図１１、図１２、に示す、エンド部材接合部（１１）は、カバー接合部（６）と嵌
合するための接合部である。カバー（４）の奥行方向の最奥部は、エンド部材接合部（１１）と嵌合するためエンド部材背面の
周縁端部を周回するエンド部材接合部（１１）の内周面の部分を削除したドーナッツ状に穴の空いた形状のカバー（４）は穴の
内周部分がカバー接合部（６）となることで、カバー接合部（６）はエンド部材接合部（１１）に額の背面方向から嵌まり嵌合
し固定できる。
【００２２】
図３、図４、図５、図６、図９、図１０、図１１、図１２、に示す、スペーサー部材（７）とエンド部材（９）は、額展示部
の奥行方向の最深部に面のない貫通した額（１）の展示部内側面（１２）と同一の内枠体である内側面（１２）を形成するこ
とで、額（１）とスペーサー部材（７）とエンド部材（９）が合致接合し一体化する。スペーサー部材（７）とエンド部材（９）
の内側面（１２）は額の展示部内側面（１２）と奥行方向に平行な面を形成することで額展示部の奥行方向の延長を可能にし
ている。
【００２３】
図１３、図１４、に示す、額（１）とスペーサー部材（７）とエンド部材（９）を合致接合し一体化することで、展示部の奥
行方向を延長した部分を壁面（１５）に埋め込み展示ができる。額（１）本体は室内側（１７）で額のフロントとして機能し、
展示部の奥行方向に延長した部分は壁内部側（１６）に収まり展示品を収納する。また、スペーサー部材（７）は奥行き延長
調整用の部材であるので壁（１５）の厚さに合わせて奥行きの延長の調整した長さを構成することができる。
【００２４】
図３、図４、図５、図６、図９、図１０、図１１、図１２、に示す、カバー（４）は、額展示部を奥行方向に延長した内枠体である内側面（１２）の裏側の外枠体を周回し覆うカバー（４）である。奥行方向と反対のカバー（４）の前面は内側に屈曲したツバ状のカバー内曲部（５）を形成し、額（１）の背面接合部（３）と接合するカバー内曲部（５）は額（１）の背面接合部（３）と同一の接合面を形成し合致接合する。
【００２５】
図３、図４、図５，図６に示す、額（１）の額展示部の奥行き方向の最深部に面のない背面貫通（１４）した額（１）の背面に形成する背面接合部（３）に額展示部の奥行きを延長することができるエンド部材（９）を接合することにより、奥行方向に展示空間を広げることができるが、展示品の種類により展示空間の奥行きを縮小する場合は、額（１）の背面接合部（３）とエンド部材（９）の接合を解除し、額（１）の背面接合部（３）に板材（１８）を接合することで通常な額として使用できる。
【００２６】
図２０（円形額の奥行き延長：斜視図）、図２１（図２０の：分解斜視図）に示す、図１，図７とは異なる円形の額においても同一の構造で額展示部の奥行きを延長することができる。額展示部に形成する枠状の展示部内側面（１２）と同一の内枠体で形成される枠状のスペーサー（７）とエンド部材（９）は額（１）の内側面（１２）と同一の内枠体の内側面（１２）であることにより、額（１）の展示部の内側面（１２）と奥行方向に平行な面の内枠体を形成することにより、円形以外にも三角形やハート型や星型など、さまざまな形状を同一の構造で作ることができる。
【００２７】
図１、図２、図３、図４、図５、図６、図７、図８、図９、図１０、図１１、図１２、図１３、図１４、に示す、額展示部に形成する枠状の展示部の内側面（１２）と同一の内枠体である枠状で底面を有すエンド部材（９）は、奥行方向とは反対方向の前面で外側に屈曲したツバ状のエンド部材フランジ部（８）を形成するが、エンド部材フランジヌ（８）前面部から展示部の  奥行き方向の最深部の面（１３）までの長さが額展示部の延長の長さであることにより、奥行きの延長の短いエンド部材（９）や奥行きの延長が長いエンド部材（９）など、さまざまな奥行き延長の長さのエンド部材（９）を用意することで、展示品に合わせた額展示部の奥行きの延長ができる。
【００２８】
図１３，図１４，に示す、スペーサー部材（７）は、額（１）との接合やエンド部材（９）との接合や板材（１８）との接合をする部材であり、各部材とつなぐ中間の延長部材としての役割があり、スペーサー部材（７）の展示部の奥行方向の延長の種類が短いものから長いものまで多数用意することで奥行きの調整をすることができ、壁面埋め込みなどの寸法が限られるような空間内など、延長の長さの組み合わせにより寸法の制限された展示部の奥行きの微調整することができる。
【００２９】
図２２（壁面埋込貫通し両側正面の額：分解斜視図）、に示す、前述、段落番号００２９において、壁面埋込の額を壁面（１５）に貫通させ完全に穴の空いた壁面（１５）は裏面のない両側が前面になり、両側の壁面（１５）には貫通（１４）した枠状の額（１）が壁面を両側から挟み込み、額（１）の背面に形成する背面接合部（３）とスペーサーフランジ部（８）が接合することで、貫通した壁の内部（１６）の奥行きをスペーサー部材（７）の枠体（１２）が塞ぐことで壁面（１５）の両側の額（１）の展示部に展示空間を形成する。貫通した両側の壁面（１５）に額（１）が付き、スペーサー部材は（７）は奥行き延長の中間用の延長材であることで、壁内部（１６）で２つの額の背面と接合することで、展示品を壁面（１５）の両側のどちら方向からでも見られる展示空間を形成し、効率的な展示が行なえることで、壁面内部を有効活用に活用することができる。
【００３０】
図２０，図２１、に示す、前述、段落００２７のエンド部材（９）の展示部奥行方向の最深部の面の形状が円形、三角形、ハート型などであってもスペーサー（７）の構造は同一であり、スペーサー（７）はエンド部材（９）の接合部と額（１）の背面接合部（３）と合致するため、同一の形状の接合部を形成することで合致接合する。
【００３１】
図４，図５、図１０，図１１，に示す、額（１）の展示部内側面（１２）と同一に延長する外枠体を覆うためのカバー（４）は額（１）の背面接合部（３）とカバー内曲部（５）により合致接合し、接合したカバー（４）の内部は空間状態であり、展示に必要な電子機器や電子部品や電気配線などの装備品を収納することができる。またカバー（４）は背面方向からの嵌合での接合のため、カバー（４）を背面方向に引き出せば容易に着脱できることで空間内に収納した装備品をメンテナンスできる。
【００３２】
図１、図２、図３、図４、図５、図６、図７、図８、図９、図１０、図１１、図１２に示す、額（１）の内側面（１２）と同一に延長する外枠体を覆うためのカバー（４）は、額（１）の背面接合部（３）とエンド部材背面  接合部（１１）により合致接合するため、額（１）の背面接合部（３）とエンド部材接合部（１１）との接合部をパッキン材やコーキング材などを使用し密閉することで額（１）の前面板（２）部分を除き防水できることで、悪環境での使用も向上できる。また、前面板（２）部分を密閉化すれば、屋外設置に対しても対応することできる。
【００３３】
図１、図２、図３、図４、図５、図６、図７、図８、図９、図１０、図１１、図１２、図１８，に示す、額（１）の内側面（１２）と同一に延長する外枠体を覆うためのカバー（４）のデザインは、額（１）の背面接合部（３）とエンド部材背面接合部（１１）により合致接合するため、接合部が合えば形状やデザインや材質の異なるカバー（４）であっても合致接合できる。
【００３４】
図１、図２、図３、図４、図５、図６、図７、図８、図９、図１０、図１１、図１２、図１３、図１４、図１５、図１６、図１７，図１８、に示す、カバー（４）、エンド部材（９）、スペーサー部材（７）、板材（１８）の材質は、各部材の接合部であるフランジ接合部や内曲接合部を形成できる材質であれば金属、プラスチック、木材、コンクリート、紙、布、ガラス、ビニール、発泡スチロールなど、大きさや目的用途に応じ材質を選択できる。
【００３５】
図３、図４、図５、図６、図７、図９、図１０、図１１、図１２、図１３、図１４、図１５、図１６、図１７，図１８に示す、カバー内曲部（５）、エンド部材フランジ（１０）、スペーサーフランジ部（１０）の接合方法は、大きさや材質や目的用途により異なるが、一例として、ネジ止め、ボルト止め、テープ、面ファースナー、磁石、クリップ、リベットなどのさまざまな固定方法を選択することができる。
【００３６】
図１５（額、スペーサー部材、板材：背面図）、図１６（図１５の：斜視図）、図１７（図１５の：分解斜視図）、図１８（図１５のSーT線に沿う：断面図）、図１９（図１５のSーT線に沿う：断面の斜視図）に示す、貫通した額の内側面と同一の内枠体である枠状のスペーサー（７）は、奥行方向の後面と反対方向の前面で外側に屈曲するツバ状のスペーサーフランジ部（８）と貫通した枠状の額（１）の背面に形成する背面接合部（３）と接合し、スペーサー部材（７）の後面で外側に屈曲するツバ状のスペーサーフランジ部（８）は板材と合致接合し一体化することで、額展示部の奥行方向の最深部に面（１３）を形成するこ
とで、額展示部の最深部から展示品の脱落を防止できる。
【００３７】
図２３（スペーサー部材の一端部にスペーサーフランジ部を形成した斜視図）に示す、スペーサー部材は、端部の一方にのみスペーサーフランジ部を形成し、このフランジ部を貫通した額の背面と接合することで、額内の展示空間は奥行き方向に対して背面を持たない奥行きを延長した額（１）になる。この奥行きを延長した額（１）の最奥部を貫通（１４）構造にすることにより、氷製や水カーテンや映像装置や光源装置などの最奥部（１３）を構成し組み合わせることができることで、新しい展示ができる。
【００３８】
図２４（スペーサー部材の両端部にフランジ部を形成し、枠体（１９）の内側面に凹凸（２１）を設け、開口穴（２０）を備えたスペーサー部材の斜視図）に示す、枠体（１９）であるスペーサー部材（７）の内側面（１２）に貫通した開口穴（２０）を設けることで、不定形の大型品や長尺品など、額（１）の展示空間内に収まらない一部を展示空間内から開口穴（２０）を貫通して外方向に突出した展示することができる。また、開口穴（２０）を通じ空気の流入が行えるため額（１）（２０）の展示空間内を常温に近づけることができる。そして展示品以外においても展示空間内の電気装置関連の配線や制御関係の部材の取り回しに対しても、とても有効に使用することが可能であることで、開口穴（２０）は多目的に使用することができる。
【００３９】
図２４（スペーサー部材の両端部にフランジ部を形成し、枠体の内側面に凹凸や段差を有し、開口穴を備えたスペーサー部材の斜視図）に示す、枠体（１９）であるスペーサー部材（７）の内側面（１２）に凹凸（２１）を設けることで、額（１）の展示空間内に設置する設備品や展示品などを凹凸（２１）にはめ込むことで確実に設置し、誰でも同位置に取り付けをすることができる。
【００４０】
図２５（スペーサー部材の両端部にフランジ部を形成し、枠体の内側面に凹凸や段差を有し、開口穴を備えたスペーサー部材の斜視図）、図２６（図２５の分解斜視図）に示す、図２４のスペーサー部材（７）を使用した奥行き延長の額（１）は、スペーサー部材（７）の内側面（１２）に開口穴（２０）や凹凸（２１）を設けたスペーサー部材（２２）であってもスペーサーフランジ部（８）の接合部には影響しないため、スペーサーフランジ部（８）によりスペーサー部材（７）の連続的な連結を行うことができる。
【００４１】
図２５（図２４のスペーサー部材を使用した額の奥行き延長の斜視図）、図２６（図２５の分解斜視図）に示す、図２４のスペーサー部材A（２２）とは奥行き延長の長さの違うスペーサー部材B（２３）であってもスペーサーフランジ部（８）の合致があれば、スペーサー部材（７）を連続的に連結することができる。また最後尾にあたるスペーサーフランジ部（８）に板材（１８）を接合することで、展示空間の奥行き方向の最奥部を閉じることができる。
【００４２】
図２７（内側面に開口穴を有する、貫通した額の分解斜視図）、図２８（内側面に凹凸を有する、貫通した額の分解斜視図）に示す、背面を貫通した額（１）の内側面（１２）に凹凸（２１）を付けることで、額の展示部内に凹凸（２１）を利用した設置を行いやすくし、開口穴（２０）を設けることで空気の流入を行うことができることで額内の温度上昇を防止し、また展示の効果として長尺展示品を開口穴（２０）から突出させて展示することができ、応用として奥行き延長装置の開口穴（２０）と同時に使用することで開口穴（２０）から出した展示品を再び別の開口穴（２０）から入れることを連続で繰り返すことで躍動感のある展示をすることができる。
【符号の説明】
【００４３】
（１）：額
（２）：前面板
（３）：背面接合部
（４）：カバー
（５）：カバー内曲部
（６）：カバー接合部
（７）：スペーサー部材
（８）：スペーサーフランジ部
（９）：エンド部材
（１０）：エンド部材フランジ部
（１１）：エンド部材背面接合部
（１２）：内側面
（１３）：最深部の面
（１４）：貫通
（１５）：壁面
（１６）：壁内部
（１７）：室内
（１８）：板材
（１９）：枠体
（２０）：開口穴
（２１）：凹凸
（２２）：スペーサー部材A
（２３）：スペーサー部材B
【図１】
2019093102.tif 000003
【図２】
2019093102.tif 000004
【図３】
2019093102.tif 000005
【図４】
2019093102.tif 000006
【図５】
2019093102.tif 000007
【図６】
2019093102.tif 000008
【図７】
2019093102.tif 000009
【図８】
2019093102.tif 000010
【図９】
2019093102.tif 000011
【図１０】
2019093102.tif 000012
【図１１】
2019093102.tif 000013
【図１２】
2019093102.tif 000014
【図１３】
2019093102.tif 000015
【図１４】
2019093102.tif 000016
【図１５】
2019093102.tif 000017
【図１６】
2019093102.tif 000018
【図１７】
2019093102.tif 000019
【図１８】
2019093102.tif 000020
【図１９】
2019093102.tif 000021
【図２０】
2019093102.tif 000022
【図２１】
2019093102.tif 000023
【図２２】
2019093102.tif 000024
【図２３】
2019093102.tif 000025
【図２４】
2019093102.tif 000026
【図２５】
2019093102.tif 000027
【図２６】
2019093102.tif 000028
【図２７】
2019093102.tif 000029
【図２８】
2019093102.tif 000030
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
貫通した枠状の額の背面に設けられる奥行方向延長装置であって、該奥行方向延長装置は、両端部が開口した環状の枠体で、一開口端にツバ状のフランジ部を有し、該フランジ部は前記枠状の額の背面部と接合し形成した枠体の内側面に凹凸を設けたことを特徴とする額展示部の奥行き方向延長装置。
【請求項２】
貫通した枠状の額の背面に設けられる奥行方向延長装置であって、該奥行方向延長装置は、両端部が開口した環状の枠体で、一開口端にツバ状のフランジ部を有し、該フランジ部は前記枠状の額の背面部と接合し形成した枠体の内側面に開口を設けたことを特徴とする額展示部の奥行き方向延長装置。
【請求項３】
前記環状の枠体の他開口端にツバ状のフランジ部を有することを特徴とする請求項１または請求項２に記載の額展示部の奥行方向延長装置。
【請求項４】
前記額展示部の奥行方向延長装置は、２つ以上のスペーサー部材で構成され、前記各スペーサー部材は開口した環状の枠体の両開口端に同一のツバ状のフランジ部を有し、隣接するスペーサー部材同士がツバ状のフランジ部で連結接合されることを特徴とする請求項１または請求項２に記載の額展示部の奥行方向延長装置。